(57)【要約】      （修正有）【課題】観葉植物を屋内で栽培が可能な水栽培方法を提供する。【解決手段】容器の底に穴のない、盆栽鉢及び様々な形のガラス瓶・陶器等の容器１の内部中央底部６に、買ってきた観葉植物２の苗を、栽培ポットから取だし、まず根部５の土を除去、更に根部５の部分の土を綺麗に水４で洗い流し、観葉植物２の苗を容器１の内底部６の中央部に植え、その根部５の周りに土の代わりに、多機能鉱石３を植え込み材として使用した水栽培。【選択図】図１
2014093998.tif 000002
【特許請求の範囲】
【請求項１】
観葉植物を屋内で栽培を目的に、容器１の底に穴のない、盆栽鉢及び色々な形の瓶・陶器等の容器１に観葉植物２の栽培に土・肥料を一切使用しないで、鉢土の代わりに、環境に優しい多機能鉱石３の特性を最大限に利用して植え込んだ、観葉植物の栽培・管理に水栽培。
【請求項２】
容器１に、買ってきた観葉植物２の苗を栽培ポットから取出し、まず根部５の土を除去、更に根部５の土を綺麗に水４で洗い流し、観葉植物２の苗を容器１の内底部６の中央部に植え、その根部５の周りに、土の代わりに環境に優しい多機能鉱石３を、植え込み材として使用したもっとも衛生的な、観葉植物を屋内で栽培・管理に水栽培。
【請求項３】
本発明の特徴は、栽培鉢内の給水は水道水を直接、栽培鉢内の多機能鉱石の上から灌ぎながら、栽培鉢内の水が透明になるように水を流す、水が透明になったら、栽培鉢内の多機能鉱石と水が平行になるように調整。日常の水やりは２〜３日のペースで、栽培鉢内の中は土ではなく、全て多機能鉱石の為、水道の蛇口から直接、鉢表面に水を灌ぐ、栽培鉢内の水を全て入れ替えるため、鉢内は毎日が清流のような感覚で環境にも優しく、観葉植物が丈夫に育つ、秘訣は栽培鉢内の水の、交換が重要なポイントである、観葉植物を屋内で栽培・管理に水栽培。
【請求項４】
ミニ観葉植物は、葉っぱが小さい為、葉っぱに埃やカビ胞子が付着した場合は、葉っぱの上から直接、水道水でシャワー状の水をかければ、埃やカビ胞子の除去が容易に出来、部屋の環境等に清潔が保たれ、アレルギー体質の方にも安心して観賞ができる、観葉植物。本発明は以上のような構成よりなる、環境に優しい多機能鉱石の特性を生かして、観葉植物を屋内で栽培・管理に水栽培
【請求項５】
ガラス製の透明な瓶の内部底部に多機能鉱石３を適度に敷き、更にミニ観賞魚が飼育可能なスペースのある容器を設ける。
透明な瓶の開口部の口の大きさに合わせて、瓶の内側に乗せる栽培ポットの側面及び底面に隙間のある栽培ポット内に、ミニ観葉植物の苗の根から土を除去し、土の代わりに、植え込み材として多機能鉱石を使用して栽培ポット内に、ミニ観葉植物の苗を植え込み、加えて、透明な瓶の開口部内側に、ミニ観葉植物を植えたポットを乗せて、二重に構成したものである。
その際外側の透明な瓶の底部にはメダカ等、ミニ観賞魚の飼育が可能、観葉植物と同時に、観賞魚等も同時に楽しめるように工夫したものである。
日常の水やりの最大の特徴は、内側の鉢植えの植物は土を一切使用しないため、観葉植物の上から水を灌いでも、下の水が濁る事もなく同時に瓶の中・ポット内部の水を全て入れ替えるため、水が濁る事もなく、大変清潔であり環境に優しい観葉植物類を屋内で栽培・管理に水栽培。
【発明の詳細な説明】
【技術分野】
【０００１】  この発明・発見は観葉植物を屋内で栽培を目的に、鉢底に穴のない、盆栽用の鉢、色々な形のガラス製及び陶器・容器を使用し、主にミニ観葉植物の栽培・管理に、土と肥料を一切使わず、土の代わりに、環境に優しい多機能鉱石の特性を生かして、観賞を目的に自然を基本に観葉植物の管理に水栽培である。
【背景技術】
【０００２】  従来、土栽培で鉢植え植物類は主に室内で栽培・管理するには適当な養分と水を定期的に供給し、特に水の供給量が重要であり、鉢植え植物の給水が主な問題になっている、朝、夕など一定の時間毎に水を補給したり、又反対に一度に多量に給水すると土や養分が流失したり、根が腐って枯れたりする、観葉植物が育つ条件も多種多様で、そこで簡単に育つ方法を解決したのが、観葉植物の管理がしやすい水栽培。
【発明の開示】
【発明が解決しようとする課題】
【０００３】  水栽培で観葉植物を育成するには、次のような欠点があった。
花瓶内の水の腐食による臭気、根腐れ等の諸問題を解決するために多機能鉱石の特性である、遠赤外線、微量のマイナスイオンが観葉植物の光合成機能を高め、ガスを中和し、虫を寄せ付けず、水の腐食が起こりにくくなり、病気の原因となる細菌やカビを防ぎ、根腐れの心配もなく、土・肥料を使わない衛生的で元気に育つ観葉植物の水栽培を目的とする。
【課題を解決するための手段】
【０００４】  容器１に、買ってきた観葉植物２の苗を栽培ポットから取出し、まず根部５の土を除去、更に根部５の部分の土を綺麗に水４で洗い流し、観葉植物２の苗を容器１の内底部６の中央部に植え、その根部５の周りに、土の代わりに環境に優しい、多機能鉱石３を、植え込み材として植えた、観葉植物２類を屋内で栽培・管理に水栽培。【０００５】  本発明の特徴は、栽培鉢１内の給水は水道水を直接、栽培鉢１内の多機能鉱石の上から灌ぎながら、栽培鉢１内の水４が透明になるように水４を流す、水４が透明になったら、栽培鉢１内の多機能鉱石３と水４が平行になるように調整。日常の水４やりは２〜３日のペースで、栽培鉢１内の中は土ではなく、全て多機能鉱石３の為、水道の蛇口から直接、栽培鉢１表面に水４を灌ぐ、栽培鉢１内の水４を、その都度全て入れ替えるため、清流のような感覚で環境にも優しく、肥料が不要で観葉植物２が丈夫に育つ秘訣は、栽培鉢１内の水４の、交換が重要なポイントである。【０００６】  ミニ観葉植物鉢１は、葉っぱが小さい為、葉っぱに埃やカビ胞子が付着した場合は、葉っぱの上から直接、水道水をシャワー状の水４をかければ、埃やカビ胞子の除去が容易に出来、部屋の環境と清潔が保たれアレルギー体質の方にも安心して観賞ができる観葉植物。本発明は以上のような構成よりなる、多機能鉱石の特性を生かして観葉植物類の栽培・管理に水栽培【０００７】  ガラス製の透明な瓶の内部底部に多機能鉱石を適度に敷き、更にミニ観賞魚が飼育可能なスペースのある容器を設ける。
透明な瓶の開口部の口の大きさに合わせて、内側に乗せる栽培ポットの側面及び底面に隙間のある栽培ポット内に、ミニ観葉植物の苗の根から土を除去し、土の代わりに、植え込み材として多機能鉱石を利用してポット内に観葉植物を植え、加えて、外側透明な瓶の開口部内に、観葉植物ポットを乗せて、二重に構成したものである。
その際外側の透明な瓶の底部にはメダカ等、ミニ観賞魚の飼育が出来、観葉植物と同時に、観賞魚等も同時に楽しめるように工夫したものである。
日常の水やりの最大の特徴は、内側の鉢植えの観葉植物は土・肥料を一切使用しないため、観葉植物の上から水を灌いでも、下の水が濁る事もなく同時に瓶の中・栽培ポット内部の水を全て入れ替えるため、大変清潔であり環境に優しい観葉植物類の栽培・管理に水栽培。
【発明の効果】
【０００８】  上記のように構成された、環境に優しい、多機能鉱石の特性を使っての観葉植物や観賞魚の、水栽培は土及び肥料を一切使用しない為、以下の特徴もある。【０００９】  多機能鉱石の特性を使っての、水栽培の観葉植物鉢は生け花同様、場所を選ばず、台所・テーブル等に飾っても土や肥料を一切使用していないので、違和感がなく衛生的である。【０００１０】  多機能鉱石の特性を使って、水栽培は土・肥料を使用しないので匂いや、ボウフリ、カビの発生もなく衛生的である。【０００１１】  多機能鉱石の特性を使っての、水栽培は水垢や藻の発生を防ぐと共に、植物が健康に育つ為、頻繁に給水が必要で、２〜３日に一度は観葉植物鉢の上から直接、水道の蛇口から、水を灌ぎ、容器鉢の中の水を入れ替えるのが水栽培の特徴である。【０００１２】  多機能鉱石の特性を使って、水栽培のミニ観葉植物鉢は、葉っぱが小さい為、葉っぱに埃やカビ胞子等が付着した場合は、葉っぱの上から直接、水道水をシャワー状の水をかければ、埃やカビ胞子の除去が容易に出来、部屋の環境と清潔が保たれる。【０００１３】  多機能鉱石の特性で観葉植物類の、水栽培は直射日光を避け部屋の、普通の明るさであれば、部屋の片隅でも良く育つのが特徴。【０００１４】  本発明で利用している、多機能鉱石は埼玉県小川町の八和田鉱山で採取する鉱石を加熱・精製処理をしたセラミック系の植物活力剤です。「小川町特産品」【０００１５】「多機能鉱石の試験結果」「以下の特徴があります」
遠赤外線放射率／波長域３〜２０μで９０％以上の放射率を持ち合わせている。
（平成１２年８月１日・長野県工業試験場の結果による）【０００１６】抗菌力試験／大腸菌についての抗菌性を確認。（３０℃・７２時間）
（平成１２年１２月２０日・日本食品分析センター試験結果による）【０００１７】脱臭効果試験／メチルメルカプタンの脱臭試験・グローブバック法脱臭率９５％以上。
（１３年１月１１日・日本食品分析センター試験結果による。【０００１８】防カビ性／ＪＩＳ−Ｚ−２９１１・代表的なカビ菌５種類について防カビ性を確認２８Ｈ・４週。（平成１２年１２月７日・東京都立産業技術研究所の試験結果による。
【発明を実施するための最良の形態】
【０００１９】  以下、本発明の実施の形態を説明する。
（イ）観葉植物を屋内で栽培を目的に、底に穴の開いていない、盆栽鉢・ガラス製・陶器・等、容器を設け、土も肥料も不要で観葉植物の栽培と観賞を目的とした。
（ロ）買ってきた観葉植物の苗を栽培ポットから取出し、先ず土を除去、更に根の部分の土を綺麗に水で洗い流し、根に土が付着していない状態にする。
（ハ）観葉植物の苗を、容器鉢の底部の中央部に植え、土の代わりに多機能鉱石を根が隠れるくらの高さに、植え込み材として使用して植えた観葉植物。
（ニ）水やりは、水道水を直接、観葉植物の上から灌ぎながら、鉢中の水が透明になるまで、水を流す。
（ホ）水が透明になったら、鉢内の多機能鉱石の高さと水が平行になるように、給水する。
（ヘ）日常の水やりは２〜３に一度は、容器鉢内の水を全て交換により観葉植物が丈夫に育つ水栽培。
（ト）ミニ容器鉢の側面及び底に隙間のあるミニポットに観葉植物の苗土を除去した苗を植え、根の周りに、土の代わりに多機能鉱石を使っての栽培、（タ）外側に使用のガラス瓶の、底部に多機能鉱石を適度に敷き、その瓶の開口部の中に栽培された観葉植物を挿入し、外鉢の底にはメダカ等観賞魚の飼育が可能なように工夫をした水栽培。（チ）日常の水やりは、観葉植物鉢の上から水道水を直に灌ぎ瓶内の水を全て入れ替える。
本発明は、以上の構成よりなっている。
【図面の簡単な説明】
【０００２０】
【図１】本発明は容器の底に穴の開いていない、ガラス瓶又は容器の縦断正面図である。
【図２】本発明は容器の底に穴の開いていない、ガラス瓶又は容器の正面図である。
【符号の説明】
【０００２１】１  盆栽用植木鉢及びガラス製容器・陶器
２  観葉植物類
３  多機能鉱石
４  水
５  根部
６  鉢底部
【図１】
2014093998.tif 000003
【図２】
2014093998.tif 000004